【事件の表示】
　特願２００３−４０４８７２「デジタル複写機」拒絶査定不服審判事件〔平成１６年　４月３０日出願公開、特開２００４−１３５３５９〕について、次のとおり審決する。
【結　論】
　本件審判の請求は、成り立たない。
【理　由】
１．手続の経緯　
　本願は、平成６年２月２８日の出願した特願平６−２９６８７号の一部を平成１５年１２月３日に新たな特許出願としたものであって、平成１７年１２月２０日に拒絶査定がされ、これに対して平成１８年２月３日に拒絶査定不服審判の請求がなされたものである。　
　
２．本願発明について　
（１）本願の請求項１に係る発明（以下、「本願発明」という。）は、出願当初の特許請求の範囲の請求項１に記載された以下のとおりのものである。　
「複数の原稿の画像を読取り、読み取った画像を所定数ごとに１枚の複写紙上に編集して出力可能なデジタル複写機であって、
　前記複数の原稿の間にセットされる仕切り用紙を検出する検出手段と、
　前記複写紙に対応する頁単位の記憶領域を複数頁分有する画像メモリと、
　前記読み取った画像を前記画像メモリの１頁に対して前記所定数ずつ展開するように制御する制御手段とを有し、
　前記制御手段は、前記検出手段により前記仕切り用紙が検出されたとき、前記１頁分の画像メモリに展開された原稿の画像の数が前記所定数に達していない場合であっても、原稿の画像を展開すべき画像メモリの頁を次の頁に切り替えることを特徴とするデジタル複写機。」　
　
（２）引用例　
（２−１）　原査定の拒絶の理由に引用された特開平４−２９００６５号公報（以下、「引用例１」という。）には、図面とともに、次のア、イの記載がある。　
ア．「【００１７】
　図２は、このデジタる複写装置に備わる操作ボード１５０の外観の一部である。各キーおよび表示について説明する。符号１はコピースタート指示を入力するプリントスタートキー、付号２は各モードをクリアするモードクリアキー、符号３はコピーセット枚数のクリア及びコピー中断等の指示を入力するストップ／クリアキー、符号４はコピーセット枚数等を入力するためのテンキー、符号５は原稿セット枚数の７セグメント表示器、符号６はコピー処理枚数の７セグメント表示器をそれぞれ示す。また、符号７はテンキー４との組合わせにより、合成モード処理を指定する合成コピーモードキーである。なお、操作ボード１５０上には他にも濃度調整，変倍キー、両面コピーキー等、種々のキーおよび表示器があるが、ここでは省略する。
　　　【００１８】
　図３に複写機の制御系の概略ブロック図を示す。ＩＰＵ内にはシステムコントローラが備わり、ＡＤＦ１００，画像読取スキャナ２００，プリンタ３００の制御を行なう。またＩＰＵは画像処理装置４００およびページメモリ６００を備え、画像読取スキャナ２００で読込んだ画像信号を画像処理装置４００において信号処理し、ページメモリ６００に書込む。画像処理装置４００の出力信号およびまたはページメモリ６００からの読出し出力がプリンタ３００に与えられ画像形成が行なわれる。なお図中のＳＷは、ディップスイッチであり、ページメモリの容量に対応して設定する必要がある。ディップスイッチＳＷのビット信号は、システムコントローラ５００に入力される。」
　
イ．「【００４１】
　図１２に合成処理（モード７）のフローチャートを示す。モード７は、Ａ３片面原稿２枚を７１％に縮小し、１枚のＡ３用紙の片面に画像合成するモードである。まず、ＡＤＦ１００により第１原稿の給紙を行なう（ステップｇ１：以下、カッコ内ではステップと言う語は省略する）。これにより原稿面がコンタクトガラスの所定露光位置にセットされる。第１原稿の原稿面（原稿Ａ）を走査（１回目の走査）して読取った画像信号を、７１％に縮小し２値化してページメモリに記憶する（ｇ３〜ｇ４）。なお、ページメモリ６００に書込む際に、主走査方向および副走査方向のアドレスをそれぞれ副走査方向および主走査方向のアドレスに変換して書込む。このときけプリンタ３００は動作しないようにシステムコントローラ５００によって制御される。次に、ＡＤＦ１００により第２原稿の給紙を行なう（ｇ５）。これにより原稿面がコンタクトガラス２０１の所定露光位置にセットされる。第２原稿の原稿面（原稿Ｂ）を走査（２回目の走査）して読取った画像信号を、７１％に縮小して２値化してページメモリに記憶する（ｇ６〜ｇ８）。このときも第１原稿と同様に、ページメモリ６００に書込む際に、主走査方向および副走査方向のアドレスをそれぞれ副走査方向および主走査方向のアドレスに変換して書込む。
　　　【００４２】
　その後、転写紙の給紙を行ない（ｇ９）、ページメモリ６００に記憶されている画像信号の処理信号の合成出力処理を行なう（ｇ１０）。この合成出力処理（ｇ１０）では、ページメモリに記憶されている原稿Ａの画像信号の処理信号を読出して主走査方向にライン走査出力し、感光体３０３の回転に合わせてデータ分だけ主走ラインの走査を繰返して副走方向の走査を行った後に、続けてページメモリに記憶されている原稿Ｂの処理信号を主走査方向にライン走査出力し、感光体３０３の回転に合わせてデータ分だけ主走ラインの走査を繰返し副走方向の走査を行なう。
　　　【００４３】
　このようにして画像合成が行なわれた転写紙は排紙トレイ３１２に排出される（ｇ１２）。なお、同一コピーを２枚以上得るように設定した場合は、ページメモリ６００に記憶されている原稿Ａのデータと原稿Ｂのデータを、読出すだけで良いので、ステップｇ９〜ｇ１３の処理を行なうだけでよい（ａ１２）。すなわち、複数枚目の合成画像を得る場合は、原稿走査を必要としない。なお、図２４にモード１での原稿画像と合成画像の領域の位置関係を示す。」　
　
（２−２）　原査定の拒絶の理由に引用された特開平１−２９００７７号公報（以下、「引用例２」という。）には、図面とともに、次のウ、エの記載がある。　
ウ．「【特許請求の範囲】
少なくとも、原稿の画像情報を読取る画像情報読取手段と、読取った画像情報を入力して記憶する画像情報記憶手段と、記憶した画像情報を制御部の検索指令に応じて検索する検索手段とを備える画像処理装置において、
　一連の原稿を順次画像情報読取手段へ搬送供給する自動原稿搬送手段と、搬送供給する原稿の区切りに挿入される識別紙の色を検出する検出手段と、色検出信号により識別紙の色が所定の色であると判断した場合には、その識別紙に続いて供給される一連の原稿の画像情報読取に際しては、オペレータに対して新規キーワードを設定するように促す報知手段を設けたことを特徴とする画像処理装置。」（１頁左下欄５行目〜２０行目）
　
エ．「この異なった色情報を、画像処理装置における制御信号として用いることにより、内容の異なる一連の原稿の区切り毎に自動的にキーワードの設定を促したり、内容毎にＮｏ．１〜Ｎｏ．４の光デイスクドライブ１５〜１８を自動的に切換えて記憶したり、或いは文字原稿と写真原稿を区別して、ＩＲ２０の画像情報の読取りモードを自動的に全面２値読取りモード又は全面中間調読取りモードに切換えることができる。」（４頁右下欄１３行目〜５頁左上欄１行目）
　
（３）対比　
　本願発明と引用例１に記載の発明とを対比する。
　引用例１に記載の発明と本願発明とは、共に、「デジタル複写機」に関する発明である点で一致している。
　引用例１に記載の発明の「転写紙」は、本願発明の「複写紙」に相当する。
　引用例１には、「第１の原稿と第２の原稿とを１枚の転写紙上に画像合成する」ことが記載されており、二つの原稿は、所定数といえるから、引用例１に記載の発明の「第１の原稿と第２の原稿とを１枚の転写紙上に画像合成する」は、本願発明の「画像を所定数ごとに１枚の複写紙上に編集する」ことに相当する。
　引用例１には、「第１原稿の原稿面（原稿Ａ）を走査（１回目の走査）して読取った画像信号を、７１％に縮小し２値化してページメモリに記憶する（ｇ３〜ｇ４）。なお、ページメモリ６００に書込む際に、主走査方向および副走査方向のアドレスをそれぞれ副走査方向および主走査方向のアドレスに変換して書込む（中途略）第２原稿の原稿面（原稿Ｂ）を走査（２回目の走査）して読取った画像信号を、７１％に縮小して２値化してページメモリに記憶する（ｇ６〜ｇ８）。このときも第１原稿と同様に、ページメモリ６００に書込む際に、主走査方向および副走査方向のアドレスをそれぞれ副走査方向および主走査方向のアドレスに変換して書込むページメモリ６００に記憶されている（中途略）ページメモリ６００に記憶されている画像信号の処理信号の合成出力処理を行なう（ｇ１０）（中途略）画像合成が行なわれた転写紙は排紙トレイ３１２に排出される（ｇ１２）」ことが記載されており、第１の原稿画像と第２の原稿画像は、共にページメモリ６００に記憶され、画像合成されて、１頁に出力されるものであり、これらの動作はシステムコントローラにより、制御される（段落【００１８】）ものであるから、引用例１に記載の発明の「システムコントローラ」は、本願発明の「制御手段」に相当する。
　
　以上より、本願発明と引用例１に記載の発明とは、以下の一致点及び相違点を有する。
【一致点】
　「複数の原稿の画像を読取り、読み取った画像を所定数ごとに１枚の複写紙上に編集して出力可能なデジタル複写機であって、前記読み取った画像を前記画像メモリの１頁に対して前記所定数ずつ展開するように制御する制御手段とを有し、を特徴とするデジタル複写機。」
　
【相違点１】
　本願発明は、「複数の原稿の間にセットされる仕切り用紙を検出する検出手段」を備えているのに対し、引用例１に記載の発明は、そのような手段を備えていない点。
　
【相違点２】
　本願発明は、「複写紙に対応する頁単位の記憶領域を複数頁分有する画像メモリ」を備えているのに対して、引用例１に記載の発明は、複写紙に対して１頁分のメモリを備えている点。
　
【相違点３】
　本願発明は、「制御手段は、前記検出手段により前記仕切り用紙が検出されたとき、前記１頁分の画像メモリに展開された原稿の画像の数が前記所定数に達していない場合であっても、原稿の画像を展開すべき画像メモリの頁を次の頁に切り替える」のに対して、引用例１に記載の発明は、そのような構成を備えていない点。
　
（４）判断　
【相違点１】について　
　引用文献２には、複写機において、一連の原稿の区切りに挿入される識別紙を検出する構成が記載されており、一連の原稿を分ける働きをするものということで、引用文献２の「識別紙」は、本願発明の「仕切り用紙」に相当するものである。
　識別紙を検出することにより、一連の原稿の前後を別の記憶手段に記憶する構成が引用例２に記載されており、この構成を引用例１に記載のデジタル複写機に附加することを阻害する要因はないから、引用例１に記載の発明に「仕切り用紙」を検出する構成を附加することは、当業者が容易に想到しうるものである。
　
【相違点２】について　
　複写紙に対応する頁単位の記憶領域を複数頁分有するメモリを備えた複写装置は周知であり、メモリサイズをいくらにするかは必要に応じて当業者が適宜決定しうる事項であるから、引用例１に記載の発明において、複写機に設けたメモリを複写紙に対応する頁単位の記憶領域を複数頁分有するものとすることは、当業者が容易に想到しうるものである。
　
【相違点３】について　
　引用例２には、「搬送供給する原稿の区切りに挿入される識別紙の色を検出する検出手段と、色検出信号により識別紙の色が所定の色であると判断した場合には、その識別紙に続いて供給される一連の原稿の画像情報読取に際しては、オペレータに対して新規キーワードを設定するように促す報知手段を設けたこと」（特許請求の範囲）が記載されており、この構成は、識別紙で原稿の区切りを表すことにより、一連の原稿を区分する手法である。
　引用例１の文書の合成も文書単位のまとまりであるといえるから、引用文献１に記載の発明に、仕切り用紙を検出する手段を用いた際に、仕切り用紙を検出することにより、仕切り用紙の次の書類を別文書単位とすること、すなわち、一頁分の所定の文書数がメモリに蓄積される前に、次の頁のメモリに切り替えることは、当業者が容易に想到しうるものである。
　
（５）むすび　
　以上のとおり、請求項１に係る発明は、引用例１、２に記載された発明に基づいて、当業者が容易に発明をすることができたものであるから、特許法２９条第２項の規定により特許を受けることができない。　
　よって、結論のとおり審決する。